(57)【要約】【課題】居室の空気に対して、消臭効果等を発揮し得る、簡単且つ新規な構造の空気処理装置を提供すること。【解決手段】全体が非磁性材で形成され、（Ａ）一方の開口端部が空気吸引口１１に接続されると共に、他方の開口端部が空気吐出口１２接続された空気流通路６と、（Ｂ）空気流通路６を通じて空気を強制的に流通させて、空気吸引口１１より吸引した空気を空気吐出口１２から吐出させる送気手段としての電動式ファン４と、（Ｃ）空気流通路６の周壁部に同極が２０ＭＭの距離で対向位置するように磁極を備えた永久磁石３（２０００ガウスから５０００ガウスの範囲）とを配設し、（Ｄ）空気の流れを変化させ波動を増幅させるように空気流通路６内側壁部に突起物１３を配設し、室内に設置されることによって室内空気を空気流通路６に循環的に流通させるようにした。【選択図】　図１
2004125364.tif 000002
【特許請求の範囲】
【請求項１】
全体が非磁性材で形成され、一方の開口端部が空気吸引口に接続されると共に、他方の開口端部が空気吐出口に接続された空気流通路と空気流通路を通じて空気を強制的に流通させて、空気吸引口から吸引した空気を空気吐出口から吐出させる送気手段と、空気流通路の周壁部に磁極を備えた永久磁石（２０００ガウスから５０００ガウスの範囲）とを配設し、室内に設置されることによって室内空気を空気流通路に循環的に流通させるようにしたことを特徴とする空気処理装置
【請求項２】
前記永久磁石の磁極を空気流通方向に直交する方向で空気流通路を挟んで位置する両側で同極が２０ＭＭの距離で対抗位置するように配設した請求項１に記載の空気処理装置。
【請求項３】
前記送気手段として１００Ｖ１５Ａの電動式ファンを採用し、電動式ファンを空気流通路内において永久磁石の磁極配設部位よりも空気吸引口方向に配設した請求項１から２の何れかに記載の空気処理装置。
【請求項４】
前記空気流通路内に突起物を設置することにより、空気の流れを変化させて波動を増幅させるように配設した請求項１から３の何れかに記載の空気処理装置。
【発明の詳細な説明】
【０００１】
【発明の属する技術分野】
本発明は居住空間（居室）内の空気を処理することにより、マイナスイオンを発生させ、居室内の殺菌、清浄、消臭や乾燥などの効果を得ることの出来る空気処理装置に関するものである。
【０００２】
【従来の技術】
居室内の空気の消臭を目的として、従来から空気清浄器が用いられている。▲１▼活性炭を配合したフィルタに、ファンを使って吸気を強制的に通過させることにより、活性炭に臭い分子を吸着させる構造や、▲２▼イオン放電等を利用して空気中に存在する臭い分子をイオン化した後、該臭い分子を帯電ドラム等で吸引補足する構造のもの等が知られている。
【０００３】
【発明が解決しようとする課題】
ところがこれらのいずれも構造が複雑で高価であり、電気的に発生する高濃度のオゾンが大量流出し人体に危険である、等の問題があった。また、消臭以外の生理的な作用効果等も期待できるものではなかった。
【０００４】
ここにおいて本発明は上述のような現状を背景として為されたものであって、その解決課題とするところは、簡単な構造をもって居室の空気に対して消臭効果等を有効に発揮し得る、新規な構造の空気処理装置を提供することにある。
【０００５】
【課題を解決するための手段】
このような課題を解決するために為された本発明の態様を記載する。なお、以下に記載の各態様において採用される構成要素は、可能な限り任意の組み合わせで採用可能である。また、本発明の態様及び技術的特徴は以下に記載のものに限定されることなく、明細書全体及び図面に記載され、或いはそれらの記載から当業者が把握することの出来る発明思想に基づいて認識されるものであることが理解されるべきである。
【０００６】
先ず本発明の第一の態様は、（Ａ）全体が非磁性材で形成され、一方の開口端部が空気吸引口に接続されると共に、他方の開口端部が空気吐出口に接続された空気流通路と、（Ｂ）空気流通路を通じて空気を強制的に流通させて、空気吸引口から吸引した空気を空気吐出口から吐出させる送気手段としての電動式ファンと、（Ｃ）空気流通路の周壁部に磁極を備えた永久磁石（２０００ガウスから５０００ガウスの範囲）とを配設し、（Ｄ）空気の流れを変化させ、より波動を増幅させるように、空気流通路内において中程の側壁部に突起物を配設し、室内に設置されることによって室内空気を空気流通路に循環的に流通させるようにした空気処理装置を特徴とする。
【０００７】
即ち上述のような態様に係る空気処理装置においては、永久磁石によって生じた磁場（磁界）によりマイナスイオンが発生し、空気流通路を通じる空気中のマイナスイオンが、酸素分子や水素分子等に積極的に衝突して付着されたり、或いは送気手段による空気流通路への送風作用及び突起物による波動の増幅作用と相俟って、空気流通路を流通する空気中の水分子集団（クラスター）が粉砕されることにより比較的に多く発生することが推考される。このマイナスイオンは室内の臭いや埃等の粒子または分子を吸着して、数ミクロン単位の粒子または分子となって、地上に落下したり壁面等へ付着することによる消臭（脱臭）効果や、或いは水分子と結合して空気中を移動することによる乾燥（除湿）効果、更には森林浴と言われる人体への生理的な作用効果等があるとされている。
【０００８】
尚、本態様において、部材を全て非磁性材で形成したことを特徴とする。このような態様においては、磁場の有効範囲が有利に確保されて、マイナスイオンの発生効果による空気清浄化の更なる向上が期待され得る。
【０００９】
本発明の第二の態様は、前記第一に従う構造とされた空気処理装置において、永久磁石の磁極を空気の流通方向に直交する方向で空気流通路を挟んで位置する両側で同極が２０ＭＭの距離で対向位置するように配設したことを特徴とする。このような態様においては、マイナスイオンの発生に基づくものと考えられる消臭等の作用効果がより効率化されることが、本発明者等の多数の実験から明らかにされている。
【００１０】
更に、本発明の第三の態様は、前記第一から第二の何れかの態様に従う構造とされた空気処理装置の空気流通路内において中程の側壁部に突起物を計４箇所配設することにより、空気の流れを変化させて、より波動を増幅させるようにしたことを特徴とする。このような本態様においては、マイナスイオンの発生に基づくものと考えられる消臭等の作用効果の更なる向上が図られ得る。即ち、空気流通路を流通される空気の流れを変化させて波動を増幅させるようにすると、空気中の電子や分子等が活性化されて、マイナスイオンの発生がより促進されるものと推考される。尚、加振手段としては例えば電動式の振動スピーカ等を採用する他、前記第一から第二の何れかの態様に示された送気手段への供給電流を脈流的に周波数制御すること等によって、送気手段によって空気流通路内に送られる空気に対して振動を加えることも採用可能である。
【００１１】
また、本発明の第四の態様は、前記第一から第三の何れかの態様に従う構造とされた空気処理装置にあって、送気手段として１００Ｖ１５Ａの電動式ファンを採用し、電動式ファンを空気流通路内において、永久磁石の磁極配設部位より空気流通方向で上流側に配設したことを特徴とする。このような本態様においては電動式ファンの駆動トルクの変動によって駆動電流の周波数や整流子に対応した圧力変動を容易に及ぼすことが可能になる。また電動式ファンを送気手段として採用することにより、送気手段が簡便に構成されることになる。
【００１２】
【発明の実施の形態】
以下、本発明を更に具体的に明らかにするために本発明の実施形態について、図面を参照しつつ説明する。
【００１３】
先ず、図１には本発明の一形態としての空気処理装置１が示されている。この空気処理装置１は全体が非磁性材で形成された装置本体２に永久磁石３及び電動式ファン４が配設されている。また装置本体２は２つの永久磁石内蔵ユニット５から成りたっており、この２つを組合わせて内部空間に空気流通路６が形成される。装置本体２の使用する非磁性材としては、プラスチック材等が採用される。
【００１４】
永久磁石内蔵ユニット５にはそれぞれに凹凸部各２つあり、計４カ所で接続される。また、永久磁石内蔵ユニット５は２つに分解される仕組みとなっており、永久磁石内蔵ユニット内側７と永久磁石内蔵ユニット外側８に分かれる。永久磁石内蔵ユニット内側７どうしを接続すると空気流通路６が出来る。
【００１５】
空気流通路６はその中心部分と左右で空間の形状が異なり、中心部分は箱形空洞部分９であり、その左右がそれぞれ円形空洞部分１０から成り立っている。この円形空洞部分１０の一方が上流側として空気吸引口１１となり、他方が下流側として空気吐出口１２になる。また空気の流れを変化させ波動を増幅させるために、箱形空洞部分９の中程の側壁部に突起物１３を計４箇所配設する。この突起物１３により、さらに空気中の電子や分子等が活性化されて、マイナスイオンの発生がより促進されるものと推考される。
【００１６】
空気流通路６を通じて空気を強制的に流通させて、空気吸引口１１から吸引した空気を空気吐出口１２から吐出させる送気手段として１００Ｖ１５Ａの電動式ファン４を採用し、電動式ファン４を空気流通路６内において、永久磁石２の磁極配設部位より空気流通方向で上流側に配設する。送気手段としてこのような本態様においては電動式ファン４の駆動トルクの変動によって駆動電流の周波数や整流子に対応した圧力変動を容易に及ぼすことが可能になる。また電動式ファン４を送気手段として採用することにより、送気手段が簡便に構成されることになる。
【００１７】
永久磁石３（２０００ガウスから５０００ガウスの範囲）の磁極を空気の流通方向に直交する方向で空気流通路６を挟んで位置する両側で同極が２０ＭＭの距離で対向位置するように配設する。このような態様においては、マイナスイオンの発生に基づくものと考えられる消臭等の作用効果がより効率化されることが、本発明者等の多数の実験から明らかにされている。永久磁石内蔵ユニット５の外側である、永久磁石内蔵ユニット外側８に配設する。永久磁石内蔵ユニット５は２つに分割され、取り外し可能な蓋状の永久磁石内蔵ユニット内側７と永久磁石内蔵ユニット外側８から成っており、永久磁石内蔵ユニット内側７を取り外すと永久磁石内蔵ユニット外側８内部には永久磁石３が密着して内蔵できる永久磁石配設部分１４があり、ここに永久磁石３を固定できる。一対の永久磁石３は同一磁極面で相対向して配設される。永久磁石３を配設後、永久磁石内蔵ユニット内側７で蓋をする。
【００１８】
従って、このような構造とされた空気処理装置１においては、これを室内にて電動式ファン４を連続的にまたはタイマー等を使用して間欠的に作動させることにより、居室内の空気が空気吸引口１１より吸引されて、空気流通路６を通じて空気吐出口１２から吐出される。その際、永久磁石内蔵ユニット５に配設された磁界の作用により、マイナスイオンの発生作用や粒子または分子の活性化等の作用が及ぼされることとなり、居室空気の殺菌、清浄、消臭や乾燥などの効果等が発揮されるのである。
【００１９】
消臭効果の発揮される臭いとしては、たばこの他、お酒や台所の排水口、生ゴミの臭いに対しても有効であることが確認されている。また室内の空気を処理することで、喘息の軽減作用も認められた。更に磁気作用を調節することで、蚊やゴキブリ等に対する駆除的効果も認められている。また、野菜や切り花の長持ち効果、更に布団や寝間着、寝具への汗の湿気を軽減または防止する効果も確認されている。
【００２０】
以上、本発明の実施形態について詳述してきたが、これはあくまでも例示で合って、本発明はかかる実施形態における具体的な記載によって、何等限定的に解釈されるものではない。
【００２１】
例えば空気流通路の構造は、前記実施形態に限定されるものではなく、例えば一定断面をもって所定の長さで直線状または曲線状や屈曲状に延びる筐体を、空気流通路として採用することも可能である。
【００２２】
更に要求される磁気特性や設置環境等に応じて、空気流通路の周壁に電磁シールドを設けて外界の電磁場の悪影響を防止するようにしても良い。
【００２３】
また、空気流通路の周壁に加振手段として例えば電動式の振動スピーカ等を採用する他、送気手段への供給電流を脈流的に周波数制御すること等によって、送気手段によって空気流通路内に送られる空気に対して振動を加えることも採用可能である。これにより、空気中の粒子または分子が活性化されて、マイナスイオンの発生等が促進されるものと推考される。
【００２４】
前記実施形態では、室内空気の処理装置に対して、本発明を適用したものの一具体例を示したが、本発明は室内に限らず屋外等にも用いられる空気浄化処理装置や清浄機、或いは空気流通路に送り込まれる空気が通気管路または通水管路を通じて浄化を目的とする水槽に吐出されるようにした水処理装置等の各種分野において、広く適用可能であることは勿論である。
【００２５】
その他一々列挙しないが、本発明は当業者の知識に基づいて種々なる変更、修正、改良等を加えた態様において実施され得るものであり、また、そのような実施態様が本発明の趣旨を逸脱しない限り、何れも本発明の範囲内に含まれるものであることは言うまでもない。
【発明の効果】
上述の説明から明らかなように、本発明に従う構造とされた空気処理装置においては、有効な消臭効果等が、簡単な構造で発揮され得るのである。
【図面の簡単な説明】
【図１】本発明の一実施形態としての磁気による空気処理装置を示す横断面図である。
【図２】本発明の一実施形態としての磁気による空気処理装置の装置本体の正面図である。
【図３】本発明の一実施形態としての磁気による空気処理装置の装置本体の立体図である。
【図４】本発明の一実施形態としての磁気による空気処理装置の装置本体の内側分解図である。
【図５】本発明の一実施形態としての磁気による空気処理装置の装置本体の外側分解図である。
【符号の説明】
１　空気処理装置
２　装置本体
３　永久磁石
４　電動式ファン
５　永久磁石内蔵ユニット
６　空気流通路
７　永久磁石内蔵ユニット内側
８　永久磁石内蔵ユニット外側
９　箱形空洞部分
１０　円形空洞部分
１１　空気吸引口
１２　空気吐出口
１３　突起物
１４　永久磁石配設部分
【図１】
2004125364.tif 000003
【図２】
2004125364.tif 000004
【図３】
2004125364.tif 000005
【図４】
2004125364.tif 000006
【図５】
2004125364.tif 000007